(57)【要約】【課題】  天板の傾動に応じて操作部の装着角度を変更した場合においても、レバー式の入力機構の操作性を低下させることがない放射線撮影装置を提供する。【解決手段】  このＸ線撮影装置は、表示部に表示されるＸ線画像に対する操作についての入力を実行するための第１操作部３１および第２操作部４１を備える。第１操作部４１はタッチパネル３２を有し、第２操作部４１はレバー４２を有する。第１操作部３１は、天板に配設されたレールに対して、その角度を変更可能な状態で装着される。第２操作部は、天板に配設されたレールと、第１操作部３１との両方に対して装着可能となっている。【選択図】        図３
2018191976.tif 000002
【特許請求の範囲】
【請求項１】
被検者を載置した状態で傾動する天板と、前記天板に載置された被検者に対して放射線を照射する放射線照射部と、前記放射線照射部から照射され前記被検者を透過した放射線を検出することにより放射線画像を取得する放射線検出部と、前記放射線検出部により取得された放射線画像を表示する表示部と、を備えた放射線撮影装置において、
表示機能と入力機能とを有する第１操作部と、
前記第１操作部を、前記天板の側方に配設されたレールに対して装着角度を変更可能な状態で装着する装着機構と、
レバー式の入力機構を有するとともに、前記天板の側方に配設されたレールに対する装着部と前記第１操作部に対する装着部とを備え、前記レールおよび前記第１操作部に対して着脱可能な第２操作部と、
を備えたことを特徴とする放射線撮影装置。
【請求項２】
請求項１に記載の放射線撮影装置において、
前記第１操作部は、表示機能と入力機能とを有するタッチパネルを備える放射線撮影装置。
【請求項３】
請求項１または請求項２に記載の放射線撮影装置において、
前記第１操作部および前記第２操作部は、前記表示部に表示される放射線画像に対する操作についての入力を実行する放射線撮影装置。
【発明の詳細な説明】
【技術分野】
【０００１】
この発明は、被検者に対してＸ線撮影等を実行するためのＸ線撮影装置等の放射線撮影装置に関する。
【背景技術】
【０００２】
このようなＸ線撮影装置は、被検者を載置した状態で傾動可能な天板と、この天板に載置された被検者に対してＸ線を照射するＸ線照射部と、このＸ線照射部から照射され被検者を透過したＸ線を検出することによりＸ線画像を取得するＸ線検出部と、このＸ線検出部により取得されたＸ線画像を表示する表示部と、を備える。Ｘ線照射部とＸ線検出部は、例えば、Ｃ型アーム等により支持されて一体的に移動することにより、被検者に対して様々な方向からＸ線撮影を実行することが可能となっている。
【０００３】
このようなＸ線撮影装置においては、天板を水平移動または傾動させ、さらには、Ｃ型アームを移動させる操作を行うための移動部と、表示部に表示されるＸ線画像に対して各種の操作を行うための操作部とを備えている。移動部と操作部とは、各々、レバー式の入力機構を備えている。また、操作部は、液晶表示部等から構成されるタッチパネルを備え、表示機能と入力機能とを有している（特許文献１参照）。
【先行技術文献】
【特許文献】
【０００４】
【特許文献１】特開２００６−１０９９９０号公報
【発明の概要】
【発明が解決しようとする課題】
【０００５】
このようなＸ線撮影装置において、操作部は、医師または技師が操作を行いやすい位置に配置することが好ましい。このため、操作部は、天板の側面に付設されたレールの任意の位置に装着しうる構成となっている。このとき、天板が傾動することにより、操作部におけるタッチパネルが、操作者から見にくい角度に配置されることがある。このため、操作部は、レールに対して、装着角度を変更可能な状態で装着されている。これにより、天板の角度にかかわらず、操作部の角度をタッチパネルの画像が視認しやすい角度に調整することが可能となっている。
【０００６】
しかしながら、操作部の角度を変更した場合には、この操作部に設けられたレバー式の入力機構の装着角度も変更されてしまうことから、レバー式の入力機構におけるレバーの操作がやりにくくなるという問題が生ずる。
【０００７】
この発明は上記課題を解決するためになされたものであり、天板の傾動に応じて操作部の装着角度を変更した場合においても、レバー式の入力機構の操作性を低下させることがない放射線撮影装置を提供することを目的とする。
【課題を解決するための手段】
【０００８】
請求項１に記載の発明は、被検者を載置した状態で傾動する天板と、前記天板に載置された被検者に対して放射線を照射する放射線照射部と、前記放射線照射部から照射され前記被検者を透過した放射線を検出することにより放射線画像を取得する放射線検出部と、前記放射線検出部により取得された放射線画像を表示する表示部と、を備えた放射線撮影装置において、表示機能と入力機能とを有する第１操作部と、前記第１操作部を、前記天板の側方に配設されたレールに対して装着角度を変更可能な状態で装着する装着機構と、レバー式の入力機構を有するとともに、前記天板の側方に配設されたレールに対する装着部と前記第１操作部に対する装着部とを備え、前記レールおよび前記第１操作部に対して着脱可能な第２操作部と、を備えたことを特徴とする。
【０００９】
請求項２に記載の発明は、請求項１に記載の発明において、前記第１操作部は、表示機能と入力機能とを有するタッチパネルを備える。
【００１０】
請求項３に記載の発明は、請求項１または請求項２に記載の発明において、前記第１操作部および前記第２操作部は、前記表示部に表示される放射線画像に対する操作についての入力を実行する。
【発明の効果】
【００１１】
請求項１に記載の発明によれば、レバー式の入力機構を有する第２操作部が、表示機能と入力機能とを有する第１操作部とレールとの両方に対して着脱可能となっていることから、天板の傾動に応じて操作部の装着角度を変更した場合においても、必要に応じて第２操作部をレールに対して装着することにより、レバー式の入力機構の操作性を低下させることを防止することが可能となる。また、表示機能と入力機能とを有する第１操作部と、レバー式の入力機構を有する第２操作部とを、天板に対して一体として装着し、あるいは、個別に装着することができることから、放射線撮影の態様に応じて第１、第２操作部の装着形態を変更することが可能となる。
【００１２】
請求項２に記載の発明によれば、タッチパネルを視認性がよい角度位置に装着することが可能となる。
【００１３】
請求項３に記載の発明によれば、天板の傾動にかかわらず、表示部に表示される放射線画像に対する操作を、容易に実行することが可能となる。
【図面の簡単な説明】
【００１４】
【図１】Ｘ線撮影装置の斜視図である。
【図２】第１操作部３１をレール２０に装着した状態を示す側面図である。
【図３】第１操作部３１を第２操作部４１とともに示す斜視図である。
【図４】第２操作部４１をレール２０に装着した状態を示す側面図である。
【図５】第２操作部４１をレール２０に装着した状態を示す斜視図である。
【図６】第１操作部３１における第１係合部３３と第２操作部４１における第２係合部４５との係合状態を示す概要図である。
【図７】他の実施形態における第１操作部３１における第１係合部３３と第２操作部４１における第２係合部４５との係合状態を示す概要図である。
【図８】他の実施形態における第１操作部３１における第１係合部３３と第２操作部４１における第２係合部４５との係合状態を示す概要図である。
【発明を実施するための形態】
【００１５】
以下、この発明の実施の形態を図面に基づいて説明する。図１は、この発明に係る放射線撮影装置としてのＸ線撮影装置の斜視図である。なお、図１においては、後述する第１操作部３１および第２操作部４１のうち、第１操作部３１のみが天板１６に装着した状態を示している。
【００１６】
このＸ線撮影装置は、Ｘ線透視またはＸ線撮影（以下、これらを総称して「Ｘ線撮影」という）を行うものであり、支持部１７に支持された天板１６上の被検者に対してＸ線を照射するＸ線照射部１３と、被検者を通過したＸ線を検出するＦＰＤ（フラットパネルディテクタ）もしくはＩ．Ｉ（イメージインテンシファイア）等のＸ線検出器を有するＸ線検出部１４とを備える。Ｘ線照射部１３とＸ線検出部１４とは、略Ｃ字状をなすＣ型アーム１５により支持されている。このＣ型アーム１５は、天井１８に固定されたガイド部材１１に案内されることにより一方向に移動するキャリッジ１２に支持されている。
【００１７】
天板１６の側面には、レール２０が配設されている。このレール２０に対して、天板１６を水平移動または傾動させ、さらには、Ｃ型アーム１５を移動させる操作を行うためのレバー２２を備えた移動部２１と、表示部１９に表示されるＸ線画像に対する操作についての入力を実行するための表示機能と入力機能とを有するタッチパネル３２（図３参照）を備えた第１操作部３１とが装着されている。天板１６は、支持部１７の作用により、水平移動および傾動可能となっている。なお、図１においては、天板１６の一方の側面に配設されたレール２０のみが図示されているが、このレール２０は、天板１６の両側に配設されている。
【００１８】
また、このＸ線撮影装置は、Ｘ線検出部１４により取得されたＸ線画像を表示する表示部１９を備える。この表示部１９は、複数のモニターから構成され、天井１８から懸垂されている。
【００１９】
図２は、第１操作部３１をレール２０に装着した状態を示す側面図である。また、図３は、第１操作部３１を第２操作部４１とともに示す斜視図である。
【００２０】
この第１操作部３１は、表示部１９に表示されるＸ線画像に対する操作についての入力を実行するための表示機能と入力機能とを有するタッチパネル３２を備える。このタッチパネル３２の裏面側には、支持部３５が配設されている。この支持部３５は、装着部３６に対して、軸３０を中心に揺動可能となっている。また、装着部３６は、装着補助板３７との間にレール２０を配置し、ネジ３８の作用により装着部３６と装着補助板３７とによってレール２０を挟持することにより、レール２０に固定される。レール２０に対するタッチパネル３２の装着角度は、オペレータがタッチパネル３２の下方に配設された操作部３４を操作することにより調整することが可能となっている。この第１操作部３１の側面には、図２に示すように、後述する第２操作部４１における第２係合部４５と係合可能な形状を有する第１係合部３３が付設されている。
【００２１】
図４は、第２操作部４１をレール２０に装着した状態を示す側面図である。また、図５は、第２操作部４１をレール２０に装着した状態を示す斜視図である。さらに、図６は、第１操作部３１における第１係合部３３と第２操作部４１における第２係合部４５との係合状態を示す概要図である。
【００２２】
この第２操作部４１は、表示部１９に表示されるＸ線画像に対する操作についての入力を実行するための、本体４４に対して傾斜方向を変更可能なレバー４２を備える。第２操作部４１には、この第２操作部４１をレール２０に係止して装着するための装着部４６が配設されている。この、第２操作部４１は、オペレータが操作部４３を支持した状態で装着部４６をレール２０に係止させることによりレール２０に装着される。この第２操作部４１の側面には、図５および図６に示すように、上述した第１操作部３１における第１係合部３３と係合可能な形状を有する第２係合部４５が付設されている。
【００２３】
図６に示すように、第１操作部３１における第１係合部３３と第２操作部４１における第２係合部４５とは、上方が開放された断面が略Ｌ字状の第１係合部３３に対し、下方が開放された断面が略Ｌ字状の第２係合部４５を係合させることにより、第１操作部３１に対して第２操作部４１を固定することが可能となる。
【００２４】
以上のような構成を有するＸ線撮影装置においては、第１操作部３１と第２操作部４１とにより、表示部１９に表示されるＸ線画像に対する操作についての入力が実行される。例えば、第１操作部３１においては、表示部１９に表示されるＸ線画像の画像処理等の操作が、技師により実行される。また、第２操作部４１においては、表示部１９に表示される画像の送りや選択、あるいは、表示部１９に表示される画像中へのポイント位置の決定等の操作が、医師により実行される。
【００２５】
このとき、このＸ線撮影装置においては、第２操作部４１を、レール２０に装着された状態の第１操作部３１に装着することもでき、また、レール２０に対して直接装着することもできる。このため、第１操作部３１と第２操作部４１とを同時に操作したいときには、図３に示すように、第２操作部４１を、レール２０に装着された状態の第１操作部３１に装着すればよい。また、天板１６の角度に応じてタッチパネル３２の画像が視認しやすい角度に第１操作部３１を配置したときに、第２操作部４１におけるレバー４２による入力操作が困難である場合には、第２操作部４１を、レール２０に対して、直接、装着すればよい。
【００２６】
また、技師が第１操作部３１を操作し、医師が第２操作部４１を操作する場合等においては、第１操作部３１と第２操作部４１とを、操作者が操作しやすい位置に個別に配置するようにすればよい。
【００２７】
なお、上述した実施形態においては、第２操作部４１を第１操作部３１に装着するため、断面が略Ｌ字形状をなす第１係合部３３と第２係合部４５とを使用している。しかしながら、第２操作部４１を第１操作部３１に装着するための構成は、このような構成に限定されるものではない。
【００２８】
図７は、他の実施形態における第１操作部３１における第１係合部３３と第２操作部４１における第２係合部４５との係合状態を示す概要図である。
【００２９】
図７に示す実施形態においては、第１操作部３１に対して、凹部を形成した突出部３９を付設するとともに、第２操作部４１に対して、第１操作部３１における突出部３９に形成された凹部に挿入可能なピン４８を付設した構成を有する。この実施形態においては、第２操作部４１におけるピン４８を、第１操作部３１における突出部３９に形成された凹部内に挿入することにより、第２操作部４１を第１操作部３１に装着することが可能となる。
【００３０】
図８は、さらに他の実施形態における第１操作部３１における第１係合部３３と第２操作部４１における第２係合部４５との係合状態を示す概要図である。
【００３１】
図８に示す実施形態においては、第１操作部３１に対して、中空部を形成するとともに、第２操作部４１に対して、第１操作部３１に形成された中空部に挿入可能な凸部４９を付設した構成を有する。この実施形態においては、第２操作部４１を横方向からスライドさせ、第２操作部４１における凸部４９を、第１操作部３１に形成された中空部内に挿入することにより、第２操作部４１を第１操作部３１に装着することが可能となる。
【符号の説明】
【００３２】
１３      Ｘ線照射部
１４      Ｘ線検出部
１５      Ｃ型アーム
１６      天板
１７      支持部
１９      表示部
２０      レール
２１      移動部
３０      軸
３１      第１操作部
３２      タッチパネル
３３      第１係合部
３５      支持部
３６      装着部
３７      装着補助板
３８      ネジ
３９      突出部
４１      第２操作部
４２      レバー
４５      第２係合部
４６      装着部
４８      ピン
４９      凸部
【図１】
2018191976.tif 000003
【図２】
2018191976.tif 000004
【図３】
2018191976.tif 000005
【図４】
2018191976.tif 000006
【図５】
2018191976.tif 000007
【図６】
2018191976.tif 000008
【図７】
2018191976.tif 000009
【図８】
2018191976.tif 000010